(57)【要約】【課題】見やすい明るさが維持された係員用モニターを有する券類発行装置を提供する。【解決手段】装置周囲の明るさを検知する明るさセンサ部と、明るさセンサ部により検知された装置周囲の明るさに応じて、少なくとも係員用表示部の明るさの制御を行う制御部とを具備する券類発行装置。【選択図】図１
2007241499.tif 000002
【特許請求の範囲】
【請求項１】
券の購入情報を基に券を発行する券類発行装置であって、
前記券の購入情報を入力するための操作部、前記券の購入情報を基に券を発行するまでの動作状況の表示を行う係員用表示部、装置周囲の明るさを検知する明るさセンサ部、及び前記明るさセンサ部により検知された装置周囲の明るさに応じて、少なくとも前記係員用表示部の明るさの制御を行う制御部を具備することを特徴とする券類発行装置。
【請求項２】
前記係員表示部は、画像表示部と、該画像表示部の背面に設けられた背面光源とを有し、前記制御部は、前記係員用表示部の明るさを、該背面光源の光量の変更により制御することを特徴とする請求項１に記載の券類発行装置。
【請求項３】
前記操作部は、画像表示部と、該画像表示部の背面に設けられた背面光源とを有し、
前記制御部は、前記明るさセンサ部により検知された装置周囲の明るさに応じて、さらに、前記操作部の明るさを、該背面光源の光量を変更することにより調節することを特徴とする請求項２に記載の券類発行装置。
【請求項４】
前記背面光源は、液晶バックライトであることを特徴とする請求項２または３に記載の券類発行装置。
【請求項５】
前記制御部は、前記背面光源の光量と、前記装置周囲の明るさとの関係を基準値として設定し、前記装置周囲の明るさの変化に対して、前記背面光源の光量との関係を維持することを特徴とする請求項１ないし４のいずれか１項に記載の券類発行装置。
【発明の詳細な説明】
【技術分野】
【０００１】
本発明は、例えば交通機関等で用いられる定期券等を印刷、発行するための券類発行装置に関する。
【背景技術】
【０００２】
例えば定期券発行装置では、バックライトの明るさが一定であると、装置周囲が明るくなったときに係員用モニター画面が暗くて見づらくなり、また装置周囲が暗くなったときには係員用モニター画面が必要以上に明るくなるという不都合があった。このため、このような不都合が生じる度、係員用モニターに使用されるバックライトの明るさを、係員が調整つまみや、調整ボタンなどを手動で設定して調整していた。
【０００３】
例えば液晶表示装置には、そのバックライトの寿命を知るために、係員用モニター画面の明るさを検知する機能を有するもの等がある（例えば、特許文献１参照）。
【０００４】
しかしながら、従来の定期券発行装置には、係員用モニターの明るさを検知する機能はなく、明るさの調整もまた、係員の感覚に頼っていた。
【特許文献１】特開平５−３４１２８６号公報
【発明の開示】
【発明が解決しようとする課題】
【０００５】
本発明は、上記事情に鑑みて成されたもので、係員用モニター等の表示画面の明るさが見やすく維持された券類発行装置を提供することを目的とする。
【課題を解決するための手段】
【０００６】
本発明は、券の購入情報を基に券を発行する券類発行装置であって、前記券の購入情報を入力するための操作部、前記券の購入情報を基に券を発行するまでの動作状況の表示を行う係員用表示部、装置周囲の明るさを検知する明るさセンサ部、及び前記明るさセンサ部により検知された装置周囲の明るさに応じて、少なくとも前記係員用表示部の明るさの制御を行う制御部を具備することを特徴とする券類発行装置を提供する。
【発明の効果】
【０００７】
本発明によれば、装置周囲の明るさが変化しても、係員用モニター等を見やすい明るさに維持することが出来る。
【発明を実施するための最良の形態】
【０００８】
図１に、本発明に係る券類発行装置の一例としての定期券発行装置の構成を表す概略図を示す。
【０００９】
また、図２に、図１の定期券発行装置のブロック図を示す。
【００１０】
図示するように、この定期券発行装置１０は、装置の電源ＯＮ／ＯＦＦシーケンスを制御する電源制御部２と、係員により、駅名及び有効期間等の定期券発行に必要な購入情報の入力を行うための操作部３と、挿入口より定期券申込み用紙を受け入れ、その氏名欄の画像読取を行う申込み用紙読取部５と、基材に定期券情報を記録及び印刷して定期券を発券するための発券部４と、発行される定期券の金額等を表示する客用表示部７と、ジャーナル・レシート等の帳票印字を行うプリンタ部８と、上記券発行ユニットの操作状況等の表示を行うための係員モニター部６及び操作部３と、係員モニター部６及び操作部３周囲に設けられ、定期券発行装置１０特に係員モニター部６及び操作部３周囲の明るさを検知する明るさセンサ部１１と、上記券発行ユニットの動作制御、明るさセンサ部１１の検知情報の処理、係員モニター部６及び操作部３の動作制御、及び購入情報の処理等を行う主制御部１と、これらを収容する筐体９等の複数のユニットを有する。
【００１１】
係員モニター部６及び操作部３には、例えば透過型液晶表示装置、ブラウン管表示装置（ＣＲＴ）、プラズマディスプレイ等の表示装置が使用可能である。ここでは、例えば液晶表示装置を用いることができる。係員モニター部６及び操作部３は、その前面に設けられた画像表示部と、その背面に設けられ、画像表示部に光を照射する背面光源とを有し、背面光源として液晶バックライト等が使用可能である。
【００１２】
また、明るさセンサ部１１には、例えば外部環境の明るさに応じて電流を発生するフォトダイオード等が使用され得る。明るさセンサ部１１には、フォトダイオード以外に、フォトトランジスタ、フォトＩＣ等を使用することも可能である。
【００１３】
図示するように、主制御部１は、明るさセンサ部１１、電源制御部２、係員モニター部６、操作部３、発券部４、申込用紙読み取り部５、客用表示部７、及びプリンタ部８等と、各々、通信回線で接続されている。
【００１４】
図３に、図１の定期券発行装置における係員モニター部及び操作部の背面光源の光量調整のタイミングを表すフローチャートを示す。
【００１５】
また、図４に、図３の光量調整の制御の一例を表すフローチャートを示す。
【００１６】
背面光源例えば液晶バックライトの光量調整は、例えば以下のようなタイミングで行われる。
【００１７】
図示するように、まず、係員が電源を投入、システム立ち上げ等の初期動作等を行う（ＳＴ１）。初期動作が行われると、主制御部１は、明るさセンサ部１１からの装置周囲の明るさ情報を検出し（ＳＴ２）、得られた明るさ情報を受けて、係員モニター部６及び操作部３の液晶バックライトの光量を決定する（ＳＴ３）。決定された光量に基づいてこの光量の設定を変更することにより、変更された明るさで画面が表示され得る（ＳＴ４）。このように、初期動作時には、画面表示が行われる前に光量を決定することが可能である。
【００１８】
液晶バックライトの光量の決定は、基準値に従って行われる。
【００１９】
基準値より明るいときは液晶バックライトの光量を多くし、基準値よりも暗いときは液晶バックライトの光量を少なくすることができる。
【００２０】
基準値は係員が設定できるものとする。
【００２１】
周囲がある明るさの時にバックライト光量を手動で調節すると、そのときの装置周囲の明るさと、液晶バックライトの光量とが基準値となる。
【００２２】
制御部は、係員モニター部及び操作部の明るさと、装置周囲の明るさとの関係を基準値として設定し、装置周囲の明るさの変化に対して、その関係を維持することが出来る。
【００２３】
たとえば周囲の明るさ、液晶バックライトの光量をともに１０段階で評価できるとして、周囲の明るさが "５"のときに液晶バックライト光量を "３"に設定すると、周囲の明るさが "８"になったときには、液晶バックライト光量は"６"になる。
【００２４】
主制御部１は、例えば明るさセンサ部１１からの明るさ情報を常に検出することができる（ＳＴ５）。得られた明るさ情報を、必要に応じて適宜抽出し得る。
【００２５】
係員による処理が行われたかどうか判定し（ＳＴ６）、判定の結果、係員による処理が行われた場合、例えば係員が操作部３にて券発行操作の一部を行ったときなどに、主制御部１は得られた明るさ情報と基準値との比較を行い、その結果に基づいて、係員モニター部６及び操作部３の液晶バックライトの光量を決定する（ＳＴ７）。主制御部１は、決定された光量に基づいて、係員モニター部６及び操作部３のバックライト光量を設定することができる。これにより、設定された明るさで画面が表示され得る（ＳＴ４）。
【００２６】
あるいは、図４に示すように、主制御部１は、例えば明るさセンサ部１１に明るさ情報取得コマンドを送ることにより（ＳＴ２１）、明るさセンサ部１１からの明るさ情報を受け取ることができる（ＳＴ２２）。主制御部１は得られた明るさ情報と基準値との比較を行い（ＳＴ２３）、その結果に基づいて、係員モニター部６及び操作部３の液晶バックライトの光量を決定する（ＳＴ２４）。主制御部１は、決定された光量に基づいて、この光量設定コマンドを、係員モニター部６及び操作部３に送り（ＳＴ２５）、バックライト光量を設定することができる。
【００２７】
（ＳＴ６）における判定の結果、係員による処理が行われていない場合、周囲の明るさの変化量が大きいかどうか判定する（ＳＴ８）。変化量が大きいとき、たとえば室内の照明が消されたとき等には、得られた明るさ情報を受けて、係員モニター部６及び操作部３の液晶バックライトの光量を決定する（ＳＴ３）。決定された光量に基づいてこの光量の設定を変更することにより、変更された明るさで画面が表示され得る（ＳＴ４）。
【００２８】
また、周囲の明るさの変化量が小さいとき、係員が係員モニター部６及び操作部３の液晶バックライトの光量を変更して、係員モニター部６及び操作部３の明るさを調整したかどうか判定する（ＳＴ９）。係員が明るさを調整したとき、周囲の明るさと変更された光量との関係に基づいて、この関係を表す基準値を再設定する（ＳＴ１０）。さらに、変更された明るさで画面が表示され得る（ＳＴ４）。
【００２９】
係員が明るさを調整しない場合、主制御部１は、一定時間が経過したかどうか、タイムアウト検出を行い（ＳＴ１１）、タイムアウトが検出されない場合は、そのままの明るさで画面表示を行うことができる（ＳＴ４）。
【００３０】
タイムアウトが検出されたとき、主制御部１は、明るさセンサ部１１からの装置周囲の明るさ情報を検出し（ＳＴ２）、得られた明るさ情報を受けて、係員モニター部６及び操作部３の液晶バックライトの光量を決定する（ＳＴ３）。決定された光量に基づいてこの光量の設定を変更することにより、変更された明るさで画面が表示され得る（ＳＴ４）。
【００３１】
なお、上記図１ないし図４の説明では、係員モニター部６及び操作部３の明るさを制御しているが、例えば操作部３が画像表示部を持たないような場合等には、少なくとも係員モニター部６の明るさを制御すればよい。また、必要に応じて、客用表示部の明るさを制御することもできる。
【００３２】
以上説明したように、本発明に係る券類発行装置を用いることにより、明るさセンサ部により検知された装置周囲の明るさに応じて、係員用モニター部等の明るさの制御を行うことが可能となる。
【００３３】
例えば周囲が明るいときに液晶バックライト光量を増やすことで画面がより見やすくなる。また、周囲が暗いときに液晶バックライト光量を減らすことで、液晶の消費電力を通常よりも抑えることができる。操作をしていない状態で係員が表示画面を見ることがあるので、そのときに調整がされているように、係員が操作しないまま一定時間が経過したときにも調整を行うことができる。
【００３４】
さらに、係員が基準値を設定できるので、係員の好みの明暗で液晶バックライトの光量の調整ができる。
【００３５】
液晶バックライトの光量の調整は、上述のように、電源が投入されたとき、係員が操作したとき、一定時間経過したとき、周囲明るさが大きく変化したときなどのタイミングで行うことが出来る。
【００３６】
このように、本発明の券類発行装置によれば、装置周囲の明るさが変化しても、係員用モニター等の表示画面を、見やすい明るさに維持することが出来る。
【図面の簡単な説明】
【００３７】
【図１】本発明に係る券類発行装置の一例の構成を表す概略図
【図２】図１の装置のブロック図
【図３】図１の装置における係員モニター部及び操作部の背面光源の光量を調整するためのフローチャート
【図４】図３の光量調整の制御の一例を表すフローチャート
【符号の説明】
【００３８】
１…主制御部、２…電源制御部、３…操作部、４…発券部、５…申込み用紙読取部、６…係員モニター部、７…客用表示部、８…プリンタ部、９…筐体、１０…定期券発行装置、１１…明るさセンサ部
【図１】
2007241499.tif 000003
【図２】
2007241499.tif 000004
【図３】
2007241499.tif 000005
【図４】
2007241499.tif 000006